(57)【要約】【課題】ユーザーの食事内容や運動目標等に応じ、適切な運動課題を提供すること。【解決手段】本発明の運動課題提供システムＳＹに用いられる管理サーバー５は、各ユーザーのユーザー識別情報に対応付けて各ユーザーが摂取した飲食メニューに関するメニュー情報を記憶した摂取メニューデータベース６１と、ユーザー識別情報に対応付けて健康または運動目標に関する健康管理情報を記憶した顧客データベース６２と、複数の運動課題を記憶した運動課題データベース６３と、を参照する参照部５４と、ユーザー識別情報と、運動課題を要求する運動課題要求と、を取得する取得部５２と、取得したユーザー識別情報に対応する健康管理情報およびメニュー情報に基づいて、運動課題データベース６３から運動課題を抽出する抽出部５５と、抽出した運動課題を出力する出力部５６と、を備えた。【選択図】図２
2016143189.tif 000002
【特許請求の範囲】
【請求項１】
各ユーザーのユーザー識別情報に対応付けて健康または運動目標に関する健康管理情報を記憶した顧客データベースと、前記ユーザー識別情報に対応付けて各ユーザーが摂取した飲食メニューに関するメニュー情報を記憶した摂取メニューデータベースと、複数の運動課題を記憶した運動課題データベースと、を参照する参照部と、
前記ユーザー識別情報と、前記運動課題を要求する運動課題要求と、を取得する取得部と、
取得した前記ユーザー識別情報に対応する前記健康管理情報および前記メニュー情報に基づいて、前記運動課題データベースから前記運動課題を抽出する抽出部と、
抽出した前記運動課題を出力する出力部と、を備えることを特徴とする運動課題提供サーバー。
【請求項２】
前記メニュー情報は、前記飲食メニューの含有栄養素を示す情報を含むことを特徴とする請求項１に記載の運動課題提供サーバー。
【請求項３】
前記運動課題は、ランニングコースを示す課題であることを特徴とする請求項１または２に記載の運動課題提供サーバー。
【請求項４】
請求項１ないし３のいずれか１項に記載の前記運動課題提供サーバーと、
印刷部を有し、前記運動課題提供サーバーと通信可能な印刷装置と、
を含み、
前記出力部は、前記印刷装置に対して前記運動課題を送信し、
前記印刷部は、送信された前記運動課題を印刷することを特徴とする運動課題提供システム。
【請求項５】
前記印刷装置は、ＰＯＳプリンターであり、
前記印刷装置は、
ＰＯＳ端末から会計情報および前記ユーザー識別情報を取得する取得部と、
前記会計情報および前記ユーザー識別情報を前記運動課題提供サーバーに送信する送信部と、をさらに有し、
前記運動課題提供サーバーは、
送信された前記会計情報に基づいて前記メニュー情報を生成し、当該メニュー情報および前記ユーザー識別情報を前記摂取メニューデータベースに記録する記録部をさらに有することを特徴とする請求項４に記載の運動課題提供システム。
【請求項６】
前記抽出部は、同一ユーザーについて所定期間内に送信された全ての前記会計情報に基づく前記メニュー情報を考慮して、前記運動課題データベースから前記運動課題を抽出することを特徴とする請求項５に記載の運動課題提供システム。
【請求項７】
請求項１ないし３のいずれか１項に記載の前記運動課題提供サーバーと、
表示部を有し、前記運動課題提供サーバーと通信可能な携帯端末と、
を含み、
前記出力部は、前記携帯端末に対して前記運動課題を送信し、
前記表示部は、送信された前記運動課題を表示することを特徴とする運動課題提供システム。
【請求項８】
前記携帯端末は、
現在位置情報を前記運動課題提供サーバーに送信する送信部をさらに有し、
前記抽出部は、前記携帯端末の現在位置情報を考慮して、前記運動課題データベースから前記運動課題を抽出することを特徴とする請求項７に記載の運動課題提供システム。
【請求項９】
請求項４ないし６のいずれか１項に記載の運動課題提供システムに適用される印刷装置。
【請求項１０】
各ユーザーのユーザー識別情報に対応付けて健康または運動目標に関する健康管理情報を記憶した顧客データベースと、前記ユーザー識別情報に対応付けて各ユーザーが摂取した飲食メニューに関するメニュー情報を記憶した摂取メニューデータベースと、複数の運動課題を記憶した運動課題データベースと、を参照する参照ステップと、
前記ユーザー識別情報と、前記運動課題を要求する運動課題要求と、を取得する取得ステップと、
取得した前記ユーザー識別情報に対応する前記健康管理情報および前記メニュー情報に基づいて、前記運動課題データベースから前記運動課題を抽出する抽出ステップと、
抽出した前記運動課題を出力する出力ステップと、を実行することを特徴とする運動課題提供サーバーの制御方法。
【発明の詳細な説明】
【技術分野】
【０００１】
本発明は、ユーザーに対して運動課題を提供する運動課題提供サーバー、運動課題提供システム、印刷装置および運動課題提供システムの制御方法に関する。
【背景技術】
【０００２】
従来、例えば特許文献１には、ユーザーが消費したいカロリーと運動時間を設定することにより、設定された運動時間内で設定されたカロリーを消費可能なウォーキングコースを作成するコース作成支援装置が開示されている。
【先行技術文献】
【特許文献】
【０００３】
【特許文献１】特開２０１４−４５９１９号公報
【発明の概要】
【発明が解決しようとする課題】
【０００４】
ところが、特許文献１の技術では、ユーザーが消費カロリーを設定するため、必ずしも設定値が適切であるとは限らない。また、その日に摂取した食事分のカロリーをその日のうちに消費すれば体型維持が可能であるため、摂取カロリーを消費カロリーとして設定することが考えられるが、カロリー計算が面倒であり継続するのは困難である。また、人によって目標とする体型、目標タイム（達成したい目標値）、運動能力、普段の運動量、体格、健康状態が異なるため、消費カロリーだけを考慮して作成されたコースでウォーキングを行っても、所望する運動効果が得られない可能性が高い。
【０００５】
本発明は、上記の問題点に鑑み、ユーザーの食事内容や運動目標等に応じ、適切な運動課題を提供可能な運動課題提供サーバー、運動課題提供システム、印刷装置および運動課題提供システムの制御方法を実現することを目的とする。
【課題を解決するための手段】
【０００６】
本発明の運動課題提供サーバーは、各ユーザーのユーザー識別情報に対応付けて健康または運動目標に関する健康管理情報を記憶した顧客データベースと、ユーザー識別情報に対応付けて各ユーザーが摂取した飲食メニューに関するメニュー情報を記憶した摂取メニューデータベースと、複数の運動課題を記憶した運動課題データベースと、を参照する参照部と、ユーザー識別情報と、運動課題を要求する運動課題要求と、を取得する取得部と、取得したユーザー識別情報に対応する健康管理情報およびメニュー情報に基づいて、運動課題データベースから運動課題を抽出する抽出部と、抽出した運動課題を出力する出力部と、を備えることを特徴とする。
【０００７】
本発明の運動課題提供サーバーの制御方法は、各ユーザーのユーザー識別情報に対応付けて健康または運動目標に関する健康管理情報を記憶した顧客データベースと、ユーザー識別情報に対応付けて各ユーザーが摂取した飲食メニューに関するメニュー情報を記憶した摂取メニューデータベースと、複数の運動課題を記憶した運動課題データベースと、を参照する参照ステップと、ユーザー識別情報と、運動課題を要求する運動課題要求と、を取得する取得ステップと、取得したユーザー識別情報に対応する健康管理情報およびメニュー情報に基づいて、運動課題データベースから運動課題を抽出する抽出ステップと、抽出した運動課題を出力する出力ステップと、を実行することを特徴とする。
【０００８】
本発明の構成によれば、各ユーザーの健康管理情報と、摂取した飲食メニューに関するメニュー情報とに応じて、各ユーザーに対し適切な運動課題を提供できる。これによりユーザーは、提供された運動課題に取り組むだけで、面倒なカロリー計算等を必要とすることなく所望する運動効果を得ることができる。
なお、健康管理情報とは、身体情報（体格、年齢、性別等）、健康状態（病歴等）、運動能力、普段の運動量などの健康情報、および／または目標とする体型、目標タイム（達成したい目標値）などの目標情報を指す。
また、メニュー情報とは、飲食メニュー、または飲食メニューがセットメニューやコースメニューの場合の飲食メニューに含まれる飲食物に関する情報であり、メニューコード、メニュー名、材料名、商品名（健康食品名、医薬品名を含む）、カロリー、含有栄養素などを指す。
【０００９】
上記の運動課題提供サーバーにおいて、メニュー情報は、飲食メニューの含有栄養素を示す情報を含むことを特徴とする。
【００１０】
本発明の構成によれば、ユーザーが摂取した飲食メニューの含有栄養素に応じて、適切な運動課題を提供できる。例えば、５大栄養素のうち、炭水化物、脂質、たんぱく質の摂取量が多い場合は、負荷の大きい運動課題を提供する、などが考えられる。
【００１１】
上記の運動課題提供サーバーにおいて、運動課題は、ランニングコースを示す課題であることを特徴とする。
【００１２】
本発明の構成によれば、運動課題としてランニングコースを提供するため、老若男女を問わず取り組むことができる。
【００１３】
本発明の運動課題提供システムは、上記の運動課題提供サーバーと、印刷部を有し、運動課題提供サーバーと通信可能な印刷装置と、を含み、出力部は、印刷装置に対して運動課題を送信し、印刷部は、送信された運動課題を印刷することを特徴とする。
【００１４】
本発明の構成によれば、運動課題が印刷された印刷物を発行するため、携帯端末等を所持していないユーザーにも確実に運動課題を提供できる。
【００１５】
上記の運動課題提供システムにおいて、印刷装置は、ＰＯＳプリンターであり、印刷装置は、ＰＯＳ端末から会計情報およびユーザー識別情報を取得する取得部と、会計情報およびユーザー識別情報を運動課題提供サーバーに送信する送信部と、をさらに有し、運動課題提供サーバーは、送信された会計情報に基づいてメニュー情報を生成し、当該メニュー情報およびユーザー識別情報を摂取メニューデータベースに記録する記録部をさらに有することを特徴とする。
【００１６】
本発明の構成によれば、ＰＯＳ端末から出力された会計情報を利用してメニュー情報を生成するため、ユーザーは運動課題提供サーバーにメニュー情報をアップロードするための特別な操作を必要としない。また、ＰＯＳプリンターからメニュー情報をアップロードするため、既存のＰＯＳ端末を利用できる。つまり店舗側は、ＰＯＳプリンターを導入するだけで、ＰＯＳアプリケーションの変更やＰＯＳ端末の入れ替えを必要とすることなく運動課題提供サービスを導入できる。
【００１７】
上記の運動課題提供システムにおいて、抽出部は、同一ユーザーについて所定期間内に送信された全ての会計情報に基づくメニュー情報を考慮して、運動課題データベースから運動課題を抽出することを特徴とする。
【００１８】
本発明の構成によれば、１回の飲食だけでなく、数日分または数週間分の飲食を考慮した、より適切な運動課題をユーザーに提供できる。
【００１９】
本発明の運動課題提供システムは、上記の運動課題提供サーバーと、表示部を有し、運動課題提供サーバーと通信可能な携帯端末と、を含み、出力部は、携帯端末に対して運動課題を送信し、表示部は、送信された運動課題を表示することを特徴とする。
【００２０】
本発明の構成によれば、運動課題を携帯端末に表示させるため、ユーザーの居場所に関わらず運動課題を提供できる。
【００２１】
上記の運動課題提供システムにおいて、携帯端末は、現在位置情報を運動課題提供サーバーに送信する送信部をさらに有し、抽出部は、携帯端末の現在位置情報を考慮して、運動課題データベースから運動課題を抽出することを特徴とする。
【００２２】
本発明の構成によれば、ユーザーの現在位置に応じた運動課題を提供できる。例えば、ランニングコースを示す運動課題を提供する場合は、ユーザーの現在位置を始点としたコースを提供したり、ユーザーの現在位置周辺で人気のランニングコースを選択して提供したりすることができる。
【００２３】
本発明の印刷装置は、上記の運動課題提供システムに適用されることを特徴とする。
【００２４】
この印刷装置を用いることにより、ユーザーの食事内容や運動目標等に応じ、適切な運動課題を提供可能な運動課題提供システムを実現できる。
【図面の簡単な説明】
【００２５】
【図１】第１実施形態に係る運動課題提供システムのシステム構成図である。
【図２】第１実施形態に係るＰＯＳプリンターおよび管理サーバーの機能構成を示すブロック図である。
【図３】（ａ）は、摂取メニューデータベースの説明図であり、（ｂ）は、顧客データベースの説明図である。
【図４】運動課題データベースの説明図である。
【図５】第１実施形態に係る運動課題提供処理の流れを示すフローチャートである。
【図６】第２実施形態に係る運動課題提供システムのシステム構成図である。
【図７】第２実施形態に係る携帯端末および管理サーバーの機能構成を示すブロック図である。
【図８】第２実施形態に係る運動課題提供処理の流れを示すフローチャートである。
【発明を実施するための形態】
【００２６】
以下、本発明の運動課題提供サーバー、運動課題提供システム、印刷装置および運動課題提供システムの制御方法について、添付図面を参照しながら詳細に説明する。以下の実施形態では、飲食店において、会計時に運動課題（ランニングコース）を提供する場合を例示する。
【００２７】
［第１実施形態］
図１は、第１実施形態に係る運動課題提供システムＳＹのシステム構成図である。本実施形態に係る運動課題提供システムＳＹは、店舗に設置されるＰＯＳ（Point  Of  Sales）端末３およびＰＯＳプリンター４（印刷装置）と、インターネット等のネットワーク上に構築される管理サーバー５（運動課題提供サーバー）と、を備える。
【００２８】
ＰＯＳ端末３は、ユーザーが店舗内で飲食した商品（飲食物）または持ち帰り用に購入した商品に対する会計処理（精算処理）および会計処理結果を印刷するための会計情報の生成を行う。ＰＯＳプリンター４は、ＰＯＳ端末３から出力された会計情報をレシート用紙に印刷し、会計レシートＲを発行する。また、本実施形態のＰＯＳプリンター４は、管理サーバー５とネットワーク通信を行う通信機能を有しており、管理サーバー５から運動課題を取得して会計レシートＲ（図２参照）に印刷する。
【００２９】
管理サーバー５は、運動課題提供システムＳＹを統括管理するサーバーであり、複数のＰＯＳプリンター４と通信する（図１では、１台のみ図示）。具体的には、ＰＯＳプリンター４から会計情報を取得し、当該会計情報に基づいてユーザーが飲食した飲食メニューの含有栄養素を示すメニュー情報を生成する。生成したメニュー情報は、ユーザー識別情報と関連付けて摂取メニューデータベース６１に記録する。また、管理サーバー５は、当該摂取メニューデータベース６１に記録したメニュー情報と、予め顧客データベース６２に登録されている健康管理情報と、を参照し、運動課題データベース６３の中からユーザーに適した運動課題（ランニングコース）を選択する。その後、管理サーバー５は、選択した運動課題をＰＯＳプリンター４に送信する。ＰＯＳプリンター４は、管理サーバー５から送信された運動課題を会計情報と共に印刷する。
【００３０】
次に、図２を参照し、第１実施形態に係るＰＯＳプリンター４および管理サーバー５の機能構成について説明する。ＰＯＳプリンター４は、取得部４１、Ａ通信部４２（送信部）および印刷部４３を備える。
【００３１】
取得部４１は、ＰＯＳ端末３の会計処理時に、ＰＯＳ端末３からユーザー識別情報および会計情報を取得する。なお、ＰＯＳ端末３の会計処理は、ユーザーごとに行う（ユーザー一人分が摂取した飲食メニューに対して会計処理を行う）ものとする。また、ユーザー識別情報は、会計情報と共に取得するのではなく、ＰＯＳプリンター４にリーダー等を接続し、ユーザーの会員カード等を読み取ることによって取得しても良い。
【００３２】
Ａ通信部４２は、通信手段Ａ（通信規格Ａ）に基づいて管理サーバー５と通信を行う。通信手段Ａとしては、無線／有線ＬＡＮ通信、インターネット回線などを用いる。Ａ通信部４２は、管理サーバー５に対し、取得部４１で取得したユーザー識別情報および会計情報と、運動課題を要求する課題要求と、を送信する。また、Ａ通信部４２は、管理サーバー５から運動課題を受信する。
【００３３】
印刷部４３は、取得部４１で取得した会計情報と、Ａ通信部４２で受信した運動課題と、を会計レシートＲとして印刷する。特に図示しないが、会計レシートＲには、会計情報（店舗名、日付、飲食メニュー名、単価、合計金額等）、運動課題の順に印刷される。また、運動課題は、文章や画像によって、ユーザーに推奨するランニングコースに関する情報（コース名称、場所、電話番号、参照ＵＲＬ、コース形状などの詳細説明）が印刷される。なお、レシート用紙の会計情報と運動課題の間を切断（フルカットまたはハーフカット）しても良い。また、印刷部４３は、顧客データベース６２に登録されていないユーザーのユーザー識別情報を取得部４１により取得した場合は、管理サーバー５から運動課題が送信されないため、会計情報のみを含む会計レシートＲを発行する。
【００３４】
一方、管理サーバー５は、Ａ通信部５１、取得部５２、記録部５３、参照部５４、抽出部５５および出力部５６を備える。Ａ通信部５１は、通信手段Ａに基づいてＰＯＳプリンター４と通信を行う。取得部５２は、Ａ通信部５１を介してユーザー識別情報、会計情報および課題要求を取得する。記録部５３は、取得した会計情報および図示しない、各メニューの含有栄養素を示す情報を含むメニュー情報データベースに基づいてメニュー情報（栄養素情報）を生成し、当該メニュー情報およびユーザー識別情報を摂取メニューデータベース６１に記録する。
【００３５】
参照部５４は、ユーザー識別情報等の取得に伴い、摂取メニューデータベース６１、顧客データベース６２および運動課題データベース６３を参照する。抽出部５５は、摂取メニューデータベース６１から得られるメニュー情報と、顧客データベース６２から得られる健康管理情報に基づいて、運動課題データベース６３から運動課題を抽出する。ここで、メニュー情報は、記録部５３によって記録された情報を指す。つまり本実施形態では、１回の会計処理の対象となる飲食メニューに基づいて運動課題を抽出する。また、健康管理情報は、各ユーザーが所定のＷｅｂサイトにアクセスするか所定のアプリケーションを利用して、ユーザー識別情報と共に登録した情報である。当該健康管理情報は、ユーザーにより適宜編集可能である。出力部５６は、抽出部５５により抽出された運動課題を、ユーザー識別情報等の送信元となるＰＯＳプリンター４に対し、Ａ通信部５１を介して送信する。
【００３６】
ここで、図３および図４を参照し、摂取メニューデータベース６１、顧客データベース６２および運動課題データベース６３について説明する。図３（ａ）に示すように摂取メニューデータベース６１は、ユーザー別に、ユーザー識別情報と、メニューコードと、栄養素情報（メニュー情報）とを関連付けて記憶する。ここで、メニューコードは、飲食メニューを一意に特定する情報であり、会計情報から抽出した情報である。また、栄養素情報は、メニューコードに基づいて管理サーバー５内に設けられたメニュー情報データベースから抽出した情報である。つまり、同図の例は、ユーザー識別情報「０００１」のユーザーが、メニューコード「Ａ１００」の飲食メニューを注文し、当該飲食メニューには、三大栄養素である炭水化物、たんぱく質および脂質がそれぞれ５０ｇ、２０ｇ、１０ｇ含まれていることを示す。なお、本実施形態において管理サーバー５は、ＰＯＳプリンター４に運動課題を送信した後、摂取メニューデータベース６１に記録された情報を消去する。
【００３７】
図３（ｂ）は、顧客データベース６２の説明図である。顧客データベース６２は、ユーザー別に、ユーザー識別情報と、健康管理情報とを関連付けて記憶する。また、健康管理情報としては、健康に関する健康情報と、運動目標に関する目標情報とを記憶する。同図の例は、例えばユーザー識別情報「０００１」のユーザーのＢＭＩ（Body  Mass  Index）が「３０」であり健康状態は「良好」であること、並びにＢＭＩ「２５」を運動目標として運動課題に取り組むことを示す。なお、健康情報としては、身体情報や健康状態以外に、運動能力、普段の運動量などに関する情報を登録可能としても良い。また、目標情報としては、ＢＭＩ以外に目標体重、運動能力の目標値（ランニング距離、ランニング速度など）を登録可能としても良い。
【００３８】
図４は、運動課題データベース６３の説明図である。運動課題データベース６３は、三大栄養素の含有量別に運動課題を記憶する。同図では、脂質の含有量別に対応表を分け、各対応表では、炭水化物とたんぱく質の含有量をそれぞれ４段階に分類した。そして抽出部５５は、ユーザーが摂取した飲食メニューに含まれる三大栄養素の含有量に応じて、複数のランニングコースの中からいずれかのランニングコースを特定する。さらに抽出部５５は、ユーザーの健康管理情報に応じてランニングコースを変更し、最終的に抽出対象となるランニングコースを決定する。例えば図３（ａ），（ｂ）に示したユーザー識別情報「０００１」のユーザーが飲食メニューを注文した場合、抽出部５５は、栄養素情報に基づいて「コースＢＣ」を特定する。また、目標となるＢＭＩから現在のＢＭＩを差し引いた値が「５」であり健康状態も「良好」であるから、「コースＢＣ」よりも一段階負荷の大きい「コースＢＤ」または「コースＣＣ」を抽出する。
【００３９】
なお、運動課題データベース６３の運動課題の分類や分類項目は、同図に示したものに限らず、栄養素情報や健康管理情報に応じて適切なランニングコースを抽出可能なものであればその種類を問わない。また、栄養素情報（または健康管理情報）に基づいてランニングコースを特定し、健康管理情報（または栄養素情報）に基づいて特定したランニングコース（ランニング条件）を編集しても良い。編集内容としては、周回数を変更する、コースを延長／縮小する、目標となるラップタイムを変更するなどが考えられる。
【００４０】
次に、図５のフローチャートを参照し、第１実施形態に係る運動課題提供処理の流れを説明する。まず、ＰＯＳプリンター４がＰＯＳ端末３からユーザー識別情報および会計情報を取得すると（Ｓ０１）、ユーザー識別情報、会計情報および課題要求を管理サーバー５に送信する（Ｓ０２）。管理サーバー５は、会計情報からメニュー情報（栄養素情報）を生成し（Ｓ０３）、ユーザー識別情報と関連付けて摂取メニューデータベース６１に記録する（Ｓ０４）。その後管理サーバー５は、摂取メニューデータベース６１、顧客データベース６２および運動課題データベース６３を参照し、運動課題データベース６３からユーザーに推奨すべき運動課題を抽出する（Ｓ０５）。管理サーバー５が、抽出した運動課題をＰＯＳプリンター４に送信すると（Ｓ０６）、ＰＯＳプリンター４は、Ｓ０１で受信した会計情報およびＳ０６で送信された運動課題を含む会計レシートＲを発行する（Ｓ０７）。
【００４１】
以上説明したとおり、第１実施形態によれば、各ユーザーの健康管理情報と摂取した飲食メニューに関するメニュー情報とに応じて、各ユーザーに対し適切な運動課題を提供できる。これによりユーザーは、提供された運動課題に取り組むだけで、面倒なカロリー計算等を必要とすることなく所望する運動効果を得ることができる。また、メニュー情報として飲食メニューに含まれる栄養素を考慮するため、含有栄養素量に適した運動課題をユーザーに提供できる。
【００４２】
また、本実施形態の運動課題提供システムＳＹは、ＰＯＳ端末３が生成した会計情報からメニュー情報を生成するため、ユーザーは管理サーバー５にメニュー情報をアップロードするための特別な操作を必要としない。また、ＰＯＳプリンター４からメニュー情報をアップロードするため、既存のＰＯＳ端末３を利用できる。つまり店舗側は、ＰＯＳプリンター４を導入するだけで、ＰＯＳアプリケーションの変更やＰＯＳ端末３の入れ替えを必要とすることなく運動課題提供サービスを導入できる。
【００４３】
［第１実施形態変形例］
なお、以下の構成としても良い。
上記の実施形態の抽出部５５は、１回分の会計情報に基づくメニュー情報を考慮して運動課題を抽出したが、同一ユーザーについて所定期間内に送信された全ての会計情報に基づくメニュー情報を考慮して運動課題を抽出しても良い。この場合、管理サーバー５は、ユーザー識別情報に関連付けて数日分または数週間分のメニュー情報を摂取メニューデータベース６１に記録しておき、記録されている所定期間分のメニュー情報を考慮して運動課題を抽出する。この構成によれば、長期的に記録された飲食メニューに応じた、より適切な運動課題をユーザーに提供できる。
【００４４】
また、上記の実施形態の印刷部４３は、文章や画像で表された運動課題を印刷したが、運動課題を閲覧するためのコード画像（二次元コードなど）を印刷しても良い。この場合、不図示の携帯端末等でコード画像を読み取り、所定のＵＲＬ（Uniform  Resource  Locator）にアクセスすることで、携帯端末等の表示画面に運動課題を表示させる。
【００４５】
また、上記の実施形態では、会計処理を条件として運動課題を提供した（会計レシートＲを発行した）が、買い物をしなくても、ユーザーが店員に課題要求を依頼し、ユーザー識別情報をＰＯＳプリンター４に入力または読み取らせることで、運動課題が印刷されたレシートを入手できる構成としても良い。また、ＰＯＳプリンター４ではなく、キオスク端末を用いてレシートを入手可能としても良い。
【００４６】
また、上記の実施形態では、摂取メニューデータベース６１、顧客データベース６２および運動課題データベース６３および不図示のメニュー情報データベースを管理サーバー５内に設けたが、管理サーバー５と通信可能な外部サーバーまたは外部装置に設けても良い。
【００４７】
［第２実施形態］
次に、図６〜図８を参照し、本発明の第２実施形態について説明する。上記の第１実施形態では、管理サーバー５からＰＯＳプリンター４に対して運動課題を出力したが、本実施形態では、携帯端末２に対して運動課題を出力する。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００４８】
図６は、第２実施形態に係る運動課題提供システムＳＹのシステム構成図である。本実施形態に係る運動課題提供システムＳＹは、ユーザーが所有・保持する携帯端末２と、店舗に設置されるＰＯＳ端末３およびＰＯＳプリンター４と、インターネット等のネットワーク上に構築される管理サーバー５（運動課題提供サーバー）と、を備える。
【００４９】
携帯端末２は、運動課題提供サービスを受けるための専用アプリケーション２０がインストールされる。ユーザーは、当該専用アプリケーション２０を用いて健康管理情報の編集や、運動課題の要求を行う。なお、本実施形態では、ユーザーが飲食メニューの会計を行うたびに、ＰＯＳプリンター４からユーザー識別情報および会計情報がアップロードされ、管理サーバー５は、その都度メニュー情報を生成し、ユーザー識別情報と関連付けて摂取メニューデータベース６１に記録する。そして、携帯端末２からの課題要求に対し、所定期間内にアップロードされた会計情報に基づくメニュー情報を考慮して運動課題を抽出する。
【００５０】
図７は、第２実施形態に係る携帯端末２および管理サーバー５の機能構成を示すブロック図である。携帯端末２は、課題要求操作部２１、現在位置情報取得部２２、Ｂ通信部２３（送信部）および表示部２４を備える。
【００５１】
課題要求操作部２１は、運動課題を要求するための操作を行う。当該課題要求は、ユーザーが操作を行うたびに送信する構成でも良いし、１日１回などの設定を行っておき、設定された時刻または定期的に送信する構成でも良い。現在位置情報取得部２２は、携帯端末２に搭載された不図示のＧＰＳ受信機により、携帯端末２の現在位置を示す現在位置情報を取得する。
【００５２】
Ｂ通信部２３は、通信手段Ｂに基づいて管理サーバー５と通信を行う。通信手段Ｂとしては、無線／有線ＬＡＮ通信、電話回線、衛星回線、インターネット回線などを用いる。Ｂ通信部２３は、管理サーバー５に対し、携帯端末２を所有するユーザーのユーザー識別情報、現在位置情報および課題要求を送信する。なお、ユーザー識別情報は、専用アプリケーション２０を用いてユーザーが入力した情報、専用アプリケーション２０によって自動設定された情報、または携帯端末２の識別情報を用いる。
【００５３】
また、Ｂ通信部２３は、管理サーバー５から運動課題を受信する。表示部２４は、Ｂ通信部２３を介して管理サーバー５から受信した運動課題を携帯端末２に搭載された不図示の表示画面に表示する。
【００５４】
本実施形態の管理サーバー５は、第１実施形態の構成（図２参照）に、Ｂ通信部５７および取得部５８を追加した構成である。Ｂ通信部５７は、通信手段Ｂに基づいて携帯端末２と通信する。本実施形態の取得部５８は、Ｂ通信部５７を介してユーザー識別情報、現在位置情報および課題要求を取得する。また、本実施形態の抽出部５５は、携帯端末２から取得した現在位置情報を考慮して、運動課題データベース６３から運動課題を抽出する。例えば抽出部５５は、摂取メニューデータベース６１に記録された所定期間分のメニュー情報と、顧客データベース６２に記録された健康管理情報に基づいて、幾つかのランニングコースを選択し、選択した複数のランニングコースの中から、現在位置に最も近いランニングコースを抽出する、などが考えられる。また、本実施形態の出力部５６は、抽出した運動課題を、Ｂ通信部５７を介して携帯端末２に出力する。
【００５５】
また、図７には図示しないが、本実施形態の管理サーバー５は、第１実施形態と同様に、Ａ通信部５１を介してＰＯＳプリンター４と通信し、ユーザー識別情報および会計情報を取得する（取得部５２）。また、取得した会計情報からメニュー情報を生成し、摂取メニューデータベース６１に記録する（記録部５３）。
【００５６】
図８は、第２実施形態に係る運動課題提供処理の流れを示すフローチャートである。なお、摂取メニューデータベース６１にはメニュー情報が記録され、顧客データベース６２には健康管理情報が記録されているものとする。まず、携帯端末２は、運動課題を要求するための操作が行われると（Ｓ１１）、現在位置情報を取得し（Ｓ１２）、ユーザー識別情報、現在位置情報および課題要求を管理サーバー５に送信する（Ｓ１３）。管理サーバー５は、摂取メニューデータベース６１、顧客データベース６２および運動課題データベース６３を参照すると共に携帯端末２の現在位置情報を考慮して、運動課題データベース６３からユーザーに推奨すべき運動課題を抽出する（Ｓ１４）。管理サーバー５が、抽出した運動課題を携帯端末２に送信すると（Ｓ１５）、携帯端末２は、これを表示画面に表示する（Ｓ１６）。
【００５７】
以上説明したとおり、第２実施形態によれば、運動課題を携帯端末２に表示させるため、ユーザーの居場所に関わらず、ユーザーからの課題要求に対し迅速に運動課題を提供できる。また、携帯端末２から課題要求と共に現在位置情報を送信するため、ユーザーの現在位置に適した運動課題を提供できる。例えば、ユーザーの現在位置を始点としたコースを提供したり、ユーザーの現在位置周辺で人気のランニングコースを選択して提供したりすることができる。
【００５８】
［第１実施形態および第２実施形態に共通する変形例］
以上、２つの実施形態を示したが、以下の変形例を採用しても良い。例えば、上記の各実施形態において、メニュー情報とは、摂取した飲食メニューに含まれる栄養素を指すものとしたが、飲食メニューのカロリーや材料であっても良い。また、メニュー情報として、メニューコード、メニュー名、商品名（健康食品名、医薬品名を含む）などを登録しておき、これらを考慮して運動課題を抽出しても良い。
【００５９】
また、ユーザーがランニングコースについて、スタート／ゴール地点や、コースタイプ（坂道が多い／少ない、アスファルト／土）などを設定可能とし、抽出部５５は、これらの情報を考慮して運動課題を抽出する構成としても良い。同様に、メニュー情報について、ＰＯＳプリンター４からアップロードするのではなく、ユーザーが設定可能としても良い。これらの情報は、ユーザーが所定のＷｅｂサイトにアクセスするか所定のアプリケーション（第２実施形態では専用アプリケーション２０）を利用することにより設定可能である。
【００６０】
また、上記の実施形態では、運動課題として、ランニングコースを提供したが、ウォーキング、ジムトレーニング、水泳、ゴルフなど運動の種類は問わない。また、抽出部５５は、同一ユーザーに対し過去に提供した運動課題を考慮して新たな運動課題を抽出しても良い。また、運動課題提供時のユーザーの現在位置（第１実施形態では住所等を登録、第２実施形態では現在位置情報を利用することを想定）周辺の天気、または運動課題提供後の所定期間における天気予報を考慮して運動課題を抽出しても良い。さらに、複数の運動課題（屋内運動用、屋外運動用など）を提示し、その中からユーザーがいずれかを選択可能としても良い。
【００６１】
また、上記に示した運動課題提供システムＳＹの各構成要素をプログラムとして提供することが可能である。また、そのプログラムを各種記録媒体（ＣＤ−ＲＯＭ、フラッシュメモリー等）に格納して提供することも可能である。すなわち、コンピューターを運動課題提供システムＳＹの各構成要素として機能させるためのプログラム、およびそれを記録した記録媒体も、本発明の権利範囲に含まれる。その他、本発明の要旨を逸脱しない範囲で、適宜変更が可能である。
【符号の説明】
【００６２】
２：携帯端末  ３：ＰＯＳ端末  ４：ＰＯＳプリンター  ５：管理サーバー  ２０：専用アプリケーション  ６１：摂取メニューデータベース  ６２：顧客データベース  ６３：運動課題データベース  Ｒ：会計レシート  ＳＹ：運動課題提供システム
【図１】
2016143189.tif 000003
【図２】
2016143189.tif 000004
【図３】
2016143189.tif 000005
【図４】
2016143189.tif 000006
【図５】
2016143189.tif 000007
【図６】
2016143189.tif 000008
【図７】
2016143189.tif 000009
【図８】
2016143189.tif 000010